(57)【要約】【課題】  ラジオ放送やテレビジョン放送などの再送処理が適用できない程度のストリームデータを移動体が確実に提供する。【解決手段】  本発明のストリームデータ配信システムは、移動体の進行路上にカバーエリアが重複していない複数の配信ポイント装置を有し、各配信ポイント装置が、次の配信ポイント装置のカバーエリアに移動体が進入するまでに必要なストリームデータを少なくとも含む未送信のストリームデータが圧縮されている圧縮データを無線送信する。本発明のストリームデータ受信装置においては、いずれかの配信ポイント装置から受信した圧縮データを復号し、復号されたストリームデータを既格納のものとの連続性を確保して追加格納し、格納されたストリームデータの中の古いものから順次読み出して出力する。【選択図】      図１
2005318256.tif 000002
【特許請求の範囲】
【請求項１】
移動体の進行路上にカバーエリアが重複していない複数の配信ポイント装置が設けられ、
各配信ポイント装置が、次の配信ポイント装置のカバーエリアに上記移動体が進入するまでに必要なストリームデータを少なくとも含む未送信のストリームデータが圧縮されている圧縮データを無線送信する圧縮データ送信手段を有する
ことを特徴とするストリームデータ配信システム。
【請求項２】
上記各配信ポイント装置には上位装置からストリームデータが与えられ、上記上記各配信ポイント装置は、未送信のストリームデータを圧縮する圧縮手段を有することを特徴とする請求項１に記載のストリームデータ配信システム。
【請求項３】
上記各配信ポイント装置には上位装置から送信に供する圧縮データが与えられることを特徴とする請求項１に記載のストリームデータ配信システム。
【請求項４】
上記圧縮データ送信手段は、圧縮データにタイミング情報を盛り込んで送信することを特徴とする請求項１〜３のいずれかに記載のストリームデータ配信システム。
【請求項５】
いずれかの配信ポイント装置から受信した圧縮データを復号してストリームデータに戻す復号手段と、
復号されたストリームデータを、既格納のストリームデータとの連続性を確保して追加格納するストリームデータ記憶手段と、
当該ストリームデータ記憶手段を古いものから順次読み出して出力するストリームデータ出力手段と
を有することを特徴とするストリームデータ受信装置。
【請求項６】
受信した圧縮データからタイミング情報を抽出し、当該ストリームデータ受信装置の処理タイミングを、圧縮データの送信側のシステムと同期させるタイミング調整手段を有することを特徴とする請求項５に記載のストリームデータ受信装置。
【発明の詳細な説明】
【背景技術】
【０００１】
本発明はストリームデータ配信システム及びストリームデータ受信装置に関し、例えば、自動車等の移動体に対してラジオ放送やテレビジョン放送などのストリーム信号を途切れることなく提供しようとするものである。
【０００２】
周知のように、運転者や同乗者は、自動車などの移動体においても、ラジオ放送やテレビジョン放送などを楽しむことができる。また、ラジオ放送やテレビジョン放送などの信号を記憶し（蓄積し）、後で楽しむことができる。
【０００３】
しかしながら、ラジオ放送やテレビジョン放送などは、放送局のカバーエリア内でのみ受信できるものであり、カバーエリアが代わった場合には、選局し直す操作が必要であった。また、同一のカバーエリア内であっても、トンネル内や大形建造物の影などでは、受信し得ないことも生じていた。ラジオ放送やテレビジョン放送などの信号を記憶して後で楽しむことを、自動車のこれからの運転を考慮して予め実行する者は実際上ほぼ皆無である。
【０００４】
特許文献１には、移動体に対して、情報を同報通信により提供すると共に、その移動体に個別に関係する情報も提供する方法が開示されている。
【特許文献１】特開２００１−６７５９４号公報
【発明の開示】
【発明が解決しようとする課題】
【０００５】
しかしながら、特許文献１での情報は交通情報であり、そこで求められている連続性は、ラジオ放送やテレビジョン放送の信号に筆禍宇するとシビアなものではない。すなわち、再送などの処理が可能な程度の連続性であり、カバーエリアの切替で情報が得られなくても、新たなカバーエリアにおいてその情報を改めて取得しても十分なものである。
【０００６】
そのため、ラジオ放送やテレビジョン放送などの再送処理が適用できない程度の連続性を有するストリームデータを、移動体が確実に受信できるストリームデータ配信システム及びストリームデータ受信装置が望まれている。
【課題を解決するための手段】
【０００７】
かかる課題を解決するため、第１の本発明のストリームデータ配信システムは、移動体の進行路上にカバーエリアが重複していない複数の配信ポイント装置が設けられ、各配信ポイント装置が、次の配信ポイント装置のカバーエリアに上記移動体が進入するまでに必要なストリームデータを少なくとも含む未送信のストリームデータが圧縮されている圧縮データを無線送信する圧縮データ送信手段を有することを特徴とする。
【０００８】
また、第２の本発明のストリームデータ受信装置は、いずれかの配信ポイント装置から受信した圧縮データを復号してストリームデータに戻す復号手段と、復号されたストリームデータを、既格納のストリームデータとの連続性を確保して追加格納するストリームデータ記憶手段と、当該ストリームデータ記憶手段を古いものから順次読み出して出力するストリームデータ出力手段とを有することを特徴とする。
【発明の効果】
【０００９】
本発明のストリームデータ配信システム及びストリームデータ受信装置によれば、ストリームデータ受信装置が受信できない区間のストリームデータを、受信できる配信ポイント装置のカバーエリア内に位置するときに予め圧縮送信しておいて再生処理するようにしたので、再送処理が適用できない程度の連続性を有するストリームデータを、移動体が確実に受信し再生することができる。
【発明を実施するための最良の形態】
【００１０】
（Ａ）第１の実施形態
以下、本発明によるストリームデータ配信システム及びストリームデータ受信装置の第１の実施形態を図面を参照しながら説明する。この第１の実施形態は、高速道路を走行する移動体（４輪又は２輪車輌など）に受信装置が搭載されており、ストリームデータがラジオ放送のデータであるとして適宜説明する。
【００１１】
図１は、この第１の実施形態のストリームデータ配信システムの構成を示し、図２は、移動体に搭載されるストリームデータ受信装置の構成を示している。
【００１２】
図１において、各配信ポイント１−１、１−２、１−３、…は、例えば、高速道路のサービスエリア（ＳＡ）、パーキングエリア（ＰＡ）、インターチェンジ（ＩＣ）などがそれぞれ該当し、それらの中間位置にも配信ポイントを設けるようにしても良い。
【００１３】
各配信ポイント１−１、１−２、１−３、…は、情報配信サブサーバ２−１、２−２、２−３、…と、無線アクセスポイント装置３−１、３−２、３−３、…とを有し、各情報配信サブサーバ２−１、２−２、２−３、…が有線ネットワーク４を介して情報配信メインサーバ５に接続されている。
【００１４】
情報配信メインサーバ５は、詳細構成は省略するが、連続的な放送データを情報配信サブサーバ２−ｉ（ｉは１、２、３、…）に与えるものである。ここで、情報配信メインサーバ５から情報配信サブサーバ２−ｉへの連続的な放送データには、図３に示すように、タイムスタンプＴＳが挿入されている。タイムスタンプＴＳは、第１の所定時間毎（例えば、１分毎）に挿入されている実送信時刻を表しているものであり、このタイムスタンプＴＳの次に挿入されている放送データ本体の先頭の放送時間は、このタイムスタンプＴＳが示す実時刻より予め定まっている第２の所定時間（例えば、２０分）後になっている。例えば、タイムスタンプＴＳが午後１時を表していれば、このタイムスタンプＴＳの直後の放送データ本体は、午後１時２０分から午後１時２１分までの部分である。なお、放送データ本体は、タイムスタンプＴＳを挿入できる程度の圧縮が行われている。また、放送データには、その放送機関などを特定するデータなどがタイムスタンプと共にヘッダを構成して盛り込まれていても良い。以下では、説明の便宜上、放送データ本体以外は、タイムスタンプＴＳだけが挿入されているとする。
【００１５】
各配信ポイント１−ｉにおいて、情報配信サブサーバ２−ｉは、情報配信メインサーバ５から与えられた放送データを、無線アクセスポイント装置３−ｉから送信させる放射データに変換し、無線アクセスポイント装置３−ｉから放射させる。なお、一部又は全ての１個の配信ポイント１−ｉは、図４に示すように、複数の無線アクセスポイント装置３−ｉ１〜３−ｉ４（図３は４個の例）を備え、当該配信ポイント１−ｉでのカバーエリアＣＡ−ｉ（ＣＡ−ｉ１〜ＣＡ−ｉ４）を拡大させるようになっていても良い。
【００１６】
図５は、情報配信サブサーバ２−ｉの機能的構成を示すものであり、受信部１０、放送データメモリ１１及び圧縮出力部１２を有する。
【００１７】
情報配信サブサーバ２−ｉにおいて、受信部１０が受信した情報配信メインサーバ５から与えられた放送データは放送データメモリ１１に格納される。放送データメモリ１１は、例えば、上述した第２の所定時間より多少長い時間分の放送データを格納できる容量を有し、巡回的に格納動作できるものを適用する。圧縮出力部１２は、放送データメモリ１１に格納された放送データに基づいて、無線アクセスポイント装置３−ｉからの送信時刻から第２の所定時間が経過するまでの分の放送データ本体を圧縮し、その先頭に放送開始時刻と同期パターン（時間基準信号）とを付加した放射データを形成して無線アクセスポイント装置３−ｉに与える。
【００１８】
例えば、図６（Ａ）に示すタイムスタンプＴＳ−１を受信した際には、その直前までの第２の所定時間（２０分間）分の放送データ（２０分前に受信した放送データ以降今までの放送データ）を圧縮して含む図６（Ｂ）に示す放射データＢＳ−１を形成し、次のタイムスタンプＴＳ−２を受信した際には、その直前までの第２の所定時間分の放送データを圧縮して含む放射データＢＳ−２を形成し、以下、同様な処理を繰り返す。なお、圧縮方式は問われないが、相前後する放射データの時間軸が重複しない圧縮率を有する圧縮方式を適用する。また、圧縮は、放送データ本体だけでなく、放送開始時刻や同期パターンについても行うものであっても良い。
【００１９】
無線アクセスポイント装置３−ｉは、電力増幅器及びアンテナなどを含む受信した放射データを空間、言い換えると、移動体の進行通路上の自己のカバーエリアに放射させる。なお、無線アクセスポイント装置３−ｉから、移動体に搭載されているストリームデータ受信装置への通信方式は問われないが、例えば、無線ＬＡＮ方式に準じた方式を適用することができる。
【００２０】
ストリームデータ受信装置２０は、図２に示すように、受信アンテナ２１、無線受信／復号部２２、デジタル／アナログ（Ｄ／Ａ）変換部２３、スピーカ２４、制御部２５、時間基準信号抽出部２６、タイミング比較部２７及びタイミング生成部２８を有する。
【００２１】
受信アンテナ２１が受信した放射データは、無線受信／復号部２２において、前置増幅されたりフィルタリングされたりした後、圧縮復号され、そのようにして得られた放送データがデジタル／アナログ変換部２３内の放送データメモリ２３ａに一旦格納され、実時刻とタイミングが合わせられてデジタル／アナログ変換部２３から読み出されてアナログ信号に変換され、スピーカ２４から発音出力される。
【００２２】
制御部２５は、受信した放射データに含まれている放送開始時刻の情報を無線受信／復号部２２から取り込んで、その放射データに含まれている放送データの時間帯を認識し、デジタル／アナログ変換部２３内の放送データメモリ２３ａの格納エリアを定めるものである。
【００２３】
時間基準信号抽出部２６は、受信した放射データに含まれている同期パターン（時間基準信号）を抽出して再生クロック（タイミング信号）を出力するものであり、タイミング比較部２７は、このような再生クロックと、タイミング生成部２８が生成している内部クロックとの同期性を判断し、必要ならば、内部クロックを再生クロックに合わせるようにタイミング生成部２８を制御する。タイミング生成部２８が生成した内部クロックは、無線受信／復号部２２において復号処理に用いられたり、デジタル／アナログ変換部２３において変換処理に用いられたり、制御部２５において現在時刻の計時に用いられたりする。
【００２４】
ストリームデータ受信装置２０の各部の以上のような機能により、図７に示すように、移動体（従って、ストリームデータ受信装置２０）が配信ポイント１−１のカバーエリアＣＡ−１を通過する短時間で受信した放射データを処理して得た放送信号を、次の配信ポイント１−２を過ぎるまで再生することができ、次の配信ポイント１−２で、新たにそのカバーエリアＣＡ−２を通過する短時間で受信した放射データを処理して得た放送信号を、さらに次の配信ポイント１−３を過ぎるまで再生することができ、以下、このような配信データの受信、再生が繰り返される。また、各配信ポイント１−ｉのカバーエリアＣＡ−ｉを通過する毎に受信した放射データに基づいて、ストリームデータ受信装置２０のクロックや時刻を、システムに同期させることができる。
【００２５】
なお、同一の配信ポイント１−ｉで次の放射データを受信したときにも、ストリームデータ受信装置２０は、同様な処理を行う。この場合には、相前後する放射データ間で相違する放送データ部分は少ないが、メモリに追加記憶され、再生可能なストリームデータがその分だけ多くなる。
【００２６】
上記第１の実施形態によれば、トンネルや山間や放送局間の管轄エリアの相違などによる放送のカバーエリアが完備していない走行路（高速道路など）を走行している任意の移動体に対しても、放送信号などのような連続性が要求されるストリームデータを適切に配信することができる。
【００２７】
（Ｂ）第２の実施形態
次に、本発明によるストリームデータ配信システム及びストリームデータ受信装置の第２の実施形態を、上述した第１の実施形態との相違点を中心に簡単に説明する。
【００２８】
上述した第１の実施形態では、移動体を区別することなく、ストリームデータを配信処理するものであったが、第２の実施形態は、各移動体対応に配信処理するものである。
【００２９】
図８は、第２の実施形態がストリームデータ受信装置は、ある配信ポイントにおいて放送データを取得する際のシーケンス図である。
【００３０】
第２の実施形態の場合、ストリームデータ受信装置２０は、図示は省略するが、自己が搭載されている移動体の識別番号を所定周期（例えば１０秒）毎に送信する機能を備えている。また、配信ポイント１−ｉ内の無線アクセスポイント装置及び情報配信サブサーバも、図示は省略するが、移動体の識別番号を受信できる構成を備えている。なお、移動体の識別番号は、放送データとは異なる周波数や通信方式などを適用することで放送データとは区別して通信し得るものであることが好ましい。
【００３１】
配信ポイント１−ｉのカバーエリアＣＡ−ｉ内に移動体（ストリームデータ受信装置２０）が位置するようになると、配信ポイント１−ｉがその移動体の識別番号を得（Ｓ１００）、情報配信メインサーバ５にその移動体の識別番号を転送する（Ｓ１０１）。
【００３２】
情報配信メインサーバ５には、例えば、図９に示すように、各移動体の識別番号に対応付けて、配信済みの放送データの時刻情報や今までの移動速度（例えば、配信ポイント間の通過時刻から求める）などを管理している。情報配信メインサーバ５には、ある移動体の識別番号が与えられると、配信済みの放送データの時刻情報や今までの移動速度、並びに、今回の配信ポイントと次の配信ポイントとの距離などに基づいて、配信ポイント１−ｉからその移動体（ストリームデータ受信装置２０）に与える、放送データ（未だ送信していないデータ部分）のデータ量（送信済みの部分から連続する部分のデータ量）を定める（Ｓ１０２）。なお、この際には、情報配信メインサーバ５は、その移動体について管理している移動速度の更新も行う。
【００３３】
情報配信メインサーバ５は、定めたデータ量の放送データを配信ポイント１−ｉに与え（Ｓ１０３）、配信ポイント１−ｉは、その放送データを移動体に送信させる（Ｓ１０４）。なお、移動体に与える放送データの圧縮処理は、情報配信メインサーバ５が実行するようにしても良く、また、配信ポイント１−ｉ内の情報配信サブサーバ２−ｉが実行するようにしても良い。
【００３４】
なお、第２の実施形態においても、ストリームデータ受信装置２０側の動作は、第１の実施形態と同様であるので、その説明は省略する。
【００３５】
上記第２の実施形態によれば、トンネルや山間や放送局間の管轄エリアの相違などによる放送のカバーエリアが完備していない走行路（高速道路など）を走行している各移動体に対して、その移動体の速度などの特有性を考慮し、放送信号などのような連続性が要求されるストリームデータを適切に配信することができる。
【００３６】
（Ｃ）他の実施形態
上記第１の実施形態では、各配信ポイントが１回の放射動作で送信する放送データの量が固定であるものを示したが、可変にするようにしても良い。例えば、次の配信ポイントまでの距離が長い配信ポイントほど、多くの放送データ量を送信するようにしても良い。また、各配信ポイントは、情報配信メインサーバからの指示に従い、１回の放射動作で送信する放送データの量を変えるようにしても良い。例えば、情報配信メインサーバは、高速道路での実平均速度に応じて、１回の放射動作で送信する放送データの量を指示するようにしても良い。
【００３７】
また、上記第１の実施形態では、情報配信サブサーバが、配信ポイント間の距離又は移動時間などを考慮した放送データの圧縮を実行するものであったが、情報配信メインサーバがかかる処理も実行するようにしても良い。また、配信側のサーバの階層構造を３階層以上とし、例えば、配信ポイントに設けられたサーバよりすぐ上のサーバが放送データの圧縮を行うものであっても良い。
【００３８】
なお、移動体へのストリームデータは、ラジオ放送やテレビ放送のデータに限定されないことは勿論である。また、移動体の種類も車輌に限定されず、電車や列車や船舶などの他の移動体であっても良い。例えば、電車や列車などの場合には、駅毎に配信ポイントを設定すれば良い。
【図面の簡単な説明】
【００３９】
【図１】第１の実施形態のストリームデータ配信システムの構成を示すブロック図である。
【図２】第１の実施形態のストリームデータ受信装置の構成を示すブロック図である。
【図３】第１の実施形態の情報配信メインサーバから情報配信サブサーバへの放送データの構成を示す説明図である。
【図４】第１の実施形態の複数の無線アクセスポイント装置を有する配信ポイントの構成を示すブロック図である。
【図５】第１の実施形態の情報配信サブサーバの構成を示すブロック図である。
【図６】第１の実施形態の情報配信サブサーバでのデータ圧縮処理の説明図である。
【図７】第１の実施形態の配信ポイントからストリームデータ受信装置へのデータ配信、データ再生のタイミングを示すタイミングチャートである。
【図８】第２の実施形態での各部のシーケンス図である。
【図９】第２の実施形態の情報配信メインサーバが管理している情報の説明図である。
【符号の説明】
【００４０】
１−１、１−２、１−３…配信ポイント、２−１、２−２、２−３…情報配信サブサーバ、３−１、３−２、３−３…無線アクセスポイント装置、４…有線ネットワーク、５…情報配信メインサーバ、１１…受信部、１２…放送データメモリ、１３…圧縮出力部、２０…ストリームデータ受信装置、２１…受信アンテナ、２２…無線受信／復号部、２３…デジタル／アナログ変換部、２４…スピーカ、２５…制御部、２６…時間基準信号抽出部、２７…タイミング比較部、２８…タイミング生成部。
【図１】
2005318256.tif 000003
【図２】
2005318256.tif 000004
【図３】
2005318256.tif 000005
【図４】
2005318256.tif 000006
【図５】
2005318256.tif 000007
【図６】
2005318256.tif 000008
【図７】
2005318256.tif 000009
【図８】
2005318256.tif 000010
【図９】
2005318256.tif 000011